(57)【要約】【課題】施工作業の作業性の向上を図ることが可能な照明器具を提供する。【解決手段】照明器具１は、光源ユニット２と、光源ユニット２を支持する器具本体１０とを有している。光源ユニット２は、ＬＥＤモジュールと、ＬＥＤモジュールが取り付けられる取付部材２２と、取付ばね２６とを備える。器具本体１０は、造営材に取り付けられる本体部１１と、本体部１１に着脱可能に結合されて本体部１１を覆う本体カバー１２とを有している。本体部１１は、引掛ばね１３を有している。本体カバー１２は、引掛ばね１３が着脱可能に引っ掛けられる第１引掛部１２８と、取付ばね２６が着脱可能に引っ掛けられる第２引掛部１２７Ｂとを有している。【選択図】        図１
2018206683.tif 000002
【特許請求の範囲】
【請求項１】
光源ユニットと、前記光源ユニットを支持する器具本体とを有し、
前記光源ユニットは、光源と、前記光源が取り付けられる取付部材と、取付ばねとを備え、
前記器具本体は、造営材に取り付けられる本体部と、前記本体部に着脱可能に結合されて前記本体部を覆う本体カバーとを有し、
前記本体部は、引掛ばねを有し、
前記本体カバーは、前記引掛ばねが着脱可能に引っ掛けられる第１引掛部と、前記取付ばねが着脱可能に引っ掛けられる第２引掛部とを有している
ことを特徴とする照明器具。
【請求項２】
前記本体カバーは、前記光源ユニットの発光面を露出させて前記光源ユニットを収める開口部と、前記開口部の縁から前記本体部に向かって突出する突壁とを有し、
前記第１引掛部及び前記第２引掛部は前記突壁に設けられている
ことを特徴とする請求項１記載の照明器具。
【請求項３】
前記取付ばねは、コイル部と腕部とを有するねじりコイルばねからなり、
前記腕部がＵ字形状に形成され、
前記取付ばねは、前記取付部材から前記腕部を突出させた状態で前記コイル部及び前記腕部の端部を前記取付部材に支持させるように構成され、
前記第２引掛部は、前記突壁をその厚み方向に貫通する孔を有し、前記突壁における前記孔の縁に前記取付ばねの前記腕部が引っ掛けられるように構成され、
前記光源ユニットは、前記腕部が前記第２引掛部に引っ掛けられた状態で前記取付ばねのばね力によって前記本体カバーに支持されている
ことを特徴とする請求項２記載の照明器具。
【請求項４】
前記光源ユニット及び前記開口部のそれぞれの正面から見た形状が正方形であり、
前記突壁は、前記開口部の４つの縁からそれぞれ前記本体部に向かって突出する第１〜第４の突壁を含み、
前記開口部を挟んで対向する前記第１の突壁と前記第３の突壁のそれぞれに前記第１引掛部及び前記第２引掛部が設けられている
ことを特徴とする請求項３記載の照明器具。
【請求項５】
前記第１引掛部は、前記第１の突壁及び前記第３の突壁のそれぞれに複数設けられ、
前記第２引掛部は、前記第１の突壁及び前記第３の突壁において前記複数の第１引掛部の間に設けられている
ことを特徴とする請求項４記載の照明器具。
【請求項６】
前記光源ユニットは、前記取付部材の第１端縁から前記腕部を突出させた前記取付ばねと、前記取付部材の前記第１端縁と対向する第２端縁から前記取付部材の外に突出する引掛部材とを有し、
前記光源ユニット及び前記開口部のそれぞれの正面から見た形状が正方形であり、
前記突壁は、前記開口部の４つの縁からそれぞれ前記本体部に向かって突出する第１〜第４の突壁を含み、
前記開口部を挟んで対向する前記第１の突壁及び前記第３の突壁のそれぞれに前記第１引掛部が設けられ、
前記第２の突壁に前記第２引掛部が設けられ、
前記開口部を挟んで前記第２の突壁と対向する第４の突壁に、前記引掛部材が着脱可能に引っ掛けられる第３引掛部が設けられている
ことを特徴とする請求項３記載の照明器具。
【請求項７】
前記引掛ばねは、コイル部と腕部とを有するねじりコイルばねからなり、かつ、前記本体部に複数設けられ、
前記複数の引掛ばねは、各々の前記腕部同士を互いに遠ざけるように前記本体部に設けられており、
前記第１引掛部は、前記腕部が移動可能に引っ掛けられるように構成されている
ことを特徴とする請求項１〜６のいずれか１項に記載の照明器具。
【請求項８】
前記引掛ばねは、コイル部と腕部とを有するねじりコイルばねからなり、
前記第１引掛部の前記取付部材と対向する部分に前記腕部が引っ掛けられるように構成されている
ことを特徴とする請求項１〜７のいずれか１項に記載の照明器具。
【発明の詳細な説明】
【技術分野】
【０００１】
本発明は、照明器具に関し、より詳細には、光源ユニットと、光源ユニットを支持する器具本体とを有する照明器具に関する。
【背景技術】
【０００２】
従来例として特許文献１記載の照明器具を例示する。この従来例は、下面が開口した矩形箱状の器具本体と、光源ユニットと、光源ユニットを保持して器具本体に取り付けられる枠とを備えている。枠は、光源ユニット及びパネルを内側に収めるようにして光源ユニットに固定される。また、枠は、複数の固定ばねを有している。各固定ばねは、コイル部及び一対の腕部を有するねじりコイルばねで構成されている。各腕部の先端には、鉤形の係止部がそれぞれ設けられている。
【０００３】
器具本体は、各固定ばねの腕部が挿通される孔を有している。光源ユニットは、枠の各固定ばねがそれぞれ備える一対の腕部を器具本体の孔の縁に引っ掛けるようにして器具本体に取り付けられる。
【先行技術文献】
【特許文献】
【０００４】
【特許文献１】特開２０１４−２３２７１３号公報
【発明の概要】
【発明が解決しようとする課題】
【０００５】
ところで、特許文献１記載の従来例では、光源ユニットに枠及びパネルが結合されている。そのため、枠及びパネルが結合された光源ユニットの重量が増してしまうので、照明器具を造営材（天井）に施工する際の作業性の向上が図り難かった。
【０００６】
本発明の目的は、施工作業の作業性の向上を図ることが可能な照明器具を提供することである。
【課題を解決するための手段】
【０００７】
本発明の一態様に係る照明器具は、光源ユニットと、前記光源ユニットを支持する器具本体とを有している。前記光源ユニットは、光源と、前記光源が取り付けられる取付部材と、取付ばねとを備える。前記器具本体は、造営材に取り付けられる本体部と、前記本体部に着脱可能に結合されて前記本体部を覆う本体カバーとを有している。前記本体部は、引掛ばねを有している。前記本体カバーは、前記引掛ばねが着脱可能に引っ掛けられる第１引掛部と、前記取付ばねが着脱可能に引っ掛けられる第２引掛部とを有している。
【発明の効果】
【０００８】
本発明の照明器具は、施工作業の作業性の向上を図ることが可能になるという効果がある。
【図面の簡単な説明】
【０００９】
【図１】図１は、本発明の一実施形態に係る照明器具の分解斜視図である。
【図２】図２は、同上の照明器具における器具本体の正面図である。
【図３】図３Ａは、図２における同上の照明器具のＡ−Ａ線断面矢視図である。図３Ｂは、図３Ａにおける一点破線で囲まれた部分の拡大図である。
【図４】図４Ａは、図２における同上の照明器具のＢ−Ｂ線断面矢視図である。図４Ｂは、図４Ａにおける一点破線で囲まれた部分の拡大図である。
【図５】図５は、図２における同上の照明器具の一部省略したＣ−Ｃ線断面矢視図である。
【図６】図６は、図２における同上の照明器具の一部省略したＤ−Ｄ線断面矢視図である。
【図７】図７は、同上の照明器具における引掛ばねと第１引掛部を示す斜視図である。
【図８】図８は、同上の照明器具における光源ユニットの一部破断した正面図である。
【図９】図９は、同上の光源ユニットの平面図である。
【図１０】図１０は、同上の光源ユニットの左側面図である。
【図１１】図１１は、同上の照明器具における別の種類の光源ユニットの正面図である。
【図１２】図１２は、同上の別の種類の光源ユニットの平面図である。
【図１３】図１３は、同上の別の種類の光源ユニットの左側面図である。
【図１４】図１４は、同上の照明器具の本体部を省略した斜視図である。
【図１５】図１５は、同上の照明器具の斜視図である。
【図１６】図１６は、同上の照明器具において別の種類の光源ユニットを仮吊りしている状態の斜視図である。
【図１７】図１７は、同上の照明器具において別の種類の光源ユニットを取り付けた状態の本体部を省略した斜視図である。
【発明を実施するための形態】
【００１０】
本発明の一実施形態に係る照明器具について、図面を参照して詳細に説明する。本実施形態の照明器具１は、造営材（例えば、天井）に直付け可能な照明器具である。なお、以下の実施形態で説明する構成は本発明の一例にすぎない。本発明は、以下の実施形態に限定されず、本発明の効果を奏することができれば、設計等に応じて種々の変更が可能である。すなわち、照明器具は、天井以外の造営材（例えば、壁など）に直付けされる照明器具、あるいは、造営材（例えば、天井又は壁）に埋め込まれる埋込型の照明器具であってもよい。
【００１１】
本実施形態の照明器具１は、図１に示すように、光源ユニット２と、光源ユニット２を支持する器具本体１０とを備えている。ただし、以下の説明では、特に断りのない限り、図１における上下方向、前後方向及び左右方向を照明器具１の上下方向、前後方向及び左右方向と規定する。
【００１２】
器具本体１０は、造営材（天井）に取り付けられる本体部１１と、本体部１１に着脱可能に結合されて本体部１１を覆う本体カバー１２とを有している。本体部１１は、亜鉛鋼板などの金属材料により、下面が開放された浅い箱状に形成されている。なお、上下方向から見た本体部１１の外形は正方形である。本体部１１の底面の中央に円形の電源孔１１０が設けられている。本体部１１の底面における電源孔１１０の近傍に第１端子台１４と第２端子台１５が配置されている。第１端子台１４は電源孔１１０に挿通される電源ケーブル１６と電気的に接続される（図２参照）。また第２端子台１５は電源孔１１０に挿通される信号ケーブルと電気的に接続される。さらに第１端子台１４から引き出された電源線１４０の先端にプラグコネクタ１７が取り付けられている。なお、第２端子台１５からは信号線１５０が引き出されている。
【００１３】
本体部１１の底面には複数のボルト挿通孔１１１も設けられている（図１参照）。これら複数のボルト挿通孔１１１は、長軸の方向を本体部１１の前後方向に一致させた長円形に形成されている。本体部１１は、これら複数のボルト挿通孔１１１のうちの少なくとも２つのボルト挿通孔１１１に挿通される吊りボルトにナットが締め付けられることによって天井に取り付けられる。
【００１４】
さらに、本体部１１の底面には４つの引掛ばね１３が設けられている。各引掛ばね１３は、コイル部１３０と２本の腕部とを有するねじりコイルばねで構成されている。２本の腕部のうちで長い方の腕部を第１腕部１３１と呼び、短い方の腕部を第２腕部１３２と呼ぶ。第１腕部１３１の先端は鉤形に曲げられている（図１及び図３Ｂ参照）。
【００１５】
各引掛ばね１３は、金具１３３によって本体部１１に取り付けられている（図３Ｂ参照）。金具１３３は、引掛ばね１３のコイル部１３０を、コイル部１３０の軸回りに回転可能かつコイル部１３０の軸方向に移動可能に支持するように構成されている。
【００１６】
４つの引掛ばね１３のうちの２つの引掛ばね１３は、本体部１１の底面において電源孔１１０の前方に左右方向に並べて取り付けられている。また、４つの引掛ばね１３のうちの残り２つの引掛ばね１３は、本体部１１の底面において電源孔１１０の後方に左右方向に並べて取り付けられている（図１参照）。ただし、左右方向に並ぶ２つの引掛ばね１３は、各々の第２腕部１３２同士を隣り合わせるように配置されている。
【００１７】
本体カバー１２は、亜鉛鋼板などの金属材料により、上下方向から見た形状が正方形である開口部１２０を有する枠状に形成されている。なお、本体カバー１２における開口部１２０の外側の部分（第１部分１２１）が開口部１２０を底面（上底）とする正四角錐台の錐体面となる形状に形成されている。さらに、本体カバー１２における第１部分１２１の外側の部分（第２部分１２２）が第１部分１２１の周縁を底面（上底）の四辺とする正四角錐台の錐体面となる形状に形成されている。なお、第１部分１２１及び第２部分１２２の下面は白色の塗料で塗装されることが好ましい。ただし、本体カバー１２の形状は上述したような２つの錐体面を組み合わせた形状に限定されない。例えば、本体カバー１２は平板状であってもかまわない。
【００１８】
本体カバー１２は、図１、図３Ａ及び図５に示すように、開口部１２０の４つの縁のそれぞれから上向き（本体部１１に近付く向き）に突出する突壁（第１〜第４の突壁１２３〜１２６）を有している。すなわち、第１の突壁１２３は開口部１２０の前方の縁から突出し、第３の突壁１２５は開口部１２０の後方の縁から突出し、第２の突壁１２４は開口部１２０の右方の縁から突出し、第４の突壁１２６は開口部１２０の左方の縁から突出している。つまり、第１の突壁１２３と第３の突壁１２５が開口部１２０を挟んで前後方向に対向し、第２の突壁１２４と第４の突壁１２６が開口部１２０を挟んで左右方向に対向している。
【００１９】
第１の突壁１２３は、開口部１２０の前方の縁から上向きに突出した平板状の主片１２３０と、主片１２３０の上端から開口部１２０と平行に突出する固定片１２３１とを有している。同じく第３の突壁１２５は、開口部１２０の後方の縁から上向きに突出した平板状の主片１２５０と、主片１２５０の上端から開口部１２０と平行に突出する固定片１２５１とを有している（図３Ａ参照）。第１の突壁１２３の主片１２３０の長手方向（左右方向）の中央に第２引掛部１２７Ａが設けられている（図５参照）。第３の突壁１２５の主片１２５０の長手方向の中央に第２引掛部１２７Ｂが設けられている（図１参照）。第２引掛部１２７Ｂは、図１に示すように、第３の突壁１２５の主片１２５０を厚み方向（前後方向）に貫通する逆Ｕ字状の貫通孔を有している。第２引掛部１２７Ａは、図５に示すように第１の突壁１２３の主片１２３０を厚み方向（前後方向）に貫通する逆Ｕ字状の貫通孔を有している。さらに、第２引掛部１２７Ａは、貫通孔の下側の縁から上向きに突出する長方形状の仮保持片１２７０と、貫通孔の上側の縁から下向きに突出する三角形状の２つの突起１２７１とを有している。
【００２０】
第１の突壁１２３の固定片１２３１並びに第３の突壁１２５の固定片１２５１のそれぞれに第１引掛部１２８が２つずつ設けられている（図２参照）。各第１引掛部１２８は、概ね矩形板状の引掛片１２８０と、引掛片１２８０の長手方向の一端から上向きに起立する連結片１２８１と、連結片１２８１の上端から引掛片１２８０と平行に突出する取付片１２８２とを有している（図３Ｂ、図４Ｂ及び図７参照）。また、連結片１２８１は一対の案内片１２８３を有している。各案内片１２８３は、連結片１２８１の下端における引掛片１２８０の左右両側より連結片１２８１から離れるように斜め下向きに突出している。
【００２１】
第１引掛部１２８は、引掛片１２８０の長手方向の他端が主片１２３０、１２５０に設けられた溝１２３２、１２５２に差し込まれ（図１及び図５参照）、取付片１２８２が固定片１２３１、１２５１にねじ止めされて第１及び第３の突壁１２３、１２５に取り付けられる。なお、各第１引掛部１２８は、第１及び第３の突壁１２３、１２５の長手方向において第２引掛部１２７Ａ、１２７Ｂの両側に取り付けられる（図１及び図４Ａ参照）。
【００２２】
第２の突壁１２４は矩形の板状に形成されている。そして、第２の突壁１２４の長手方向（前後方向）の中央に第２引掛部１２７Ｃが設けられている（図３Ａ参照）。第２の突壁１２４に設けられた第２引掛部１２７Ｃは、図３Ａに示すように、第２の突壁１２４を厚み方向（左右方向）に貫通する逆Ｕ字状の貫通孔を有している。
【００２３】
第４の突壁１２６の上下方向の高さ寸法は、第１〜第３の突壁１２３〜１２５の上下方向の高さ寸法よりも小さい（図４Ａ及び図６参照）。また、第４の突壁１２６は、その長手方向の両側の端部１２６０の高さ寸法よりも、両側の端部１２６０を除く部分（第３引掛部１２９）の高さ寸法よりも小さくなるように形成されている（図６参照）。なお、第３引掛部１２９の長手方向の両端に、下向きに凹んだ凹部１２９０がそれぞれ設けられている。
【００２４】
本体カバー１２は、本体部１１が有する４つの引掛ばね１３の第１腕部１３１が各引掛ばね１３に対応する第１引掛部１２８の引掛片１２８０に引っ掛けられることにより、各引掛ばね１３のばね力によって本体部１１と結合される（図２〜図７参照）。
【００２５】
光源ユニット２は、図８〜図１０に示すように、２つのＬＥＤ（Light Emitting Diode）モジュール２０と、透光カバー２１と、取付部材２２と、ユニットカバー２３と、電源ユニット２４と、機能ユニット２５と、２つの取付ばね２６とを備えている。
【００２６】
取付部材２２は、正方形の取付板２２０と、取付板２２０の４つの辺からそれぞれ下向きに突出する４つの側板２２１とを有している（図９及び図１０）。ただし、取付板２２０と４つの側板２２１とは、亜鉛鋼板などの金属板が曲げ加工されて一体に形成されることが好ましい。４つの側板２２１の各々は、細長い台形状に形成されている。
【００２７】
２つのＬＥＤモジュール２０の各々は、長方形状の実装基板２０１の実装面（下面）に複数のＬＥＤ２００を実装して構成されている（図８参照）。各ＬＥＤ２００は、例えば、白色光を放射する照明用白色ＬＥＤである。これら複数のＬＥＤ２００は、実装基板２０１の実装面に格子状に配置され、実装面に形成されている配線導体（銅はく）を介して互いに電気的に接続されている。また、各実装基板２０１の実装面には、配線導体を介して各ＬＥＤ２００と電気的に接続されたレセプタクルコネクタ２０２が実装されている。レセプタクルコネクタ２０２は、後述するように電源ユニット２４の出力線に結線されたプラグコネクタと抜き差し可能に接続される。２つのＬＥＤモジュール２０は、取付板２２０の下面に、左右方向に間隔を空けて並ぶようにして、ねじ止めにより取り付けられる（図８参照）。
【００２８】
電源ユニット２４は、プリント配線板２４１に電子部品が実装されて構成された電源回路と、この電源回路を収容するケース２４０とを有している（図９及び図１０参照）。電源回路は、入力コネクタ、整流器、力率改善回路、降圧型のＤＣ／ＤＣコンバータ、出力コネクタ２４２、制御用コネクタなどを備える。入力コネクタは、第１端子台１４を介して電源線１４０と電気的に接続される。電源回路は、入力コネクタから入力する交流電力を直流電力に変換した後、変換後の直流電力を出力コネクタ２４２から電線（出力線）を介して出力する。直流電力は、出力線の先端に結線されたプラグコネクタ及びレセプタクルコネクタ２０２を介して各ＬＥＤモジュール２０の各ＬＥＤ２００に供給される。また、電源回路は、機能ユニット２５から制御用コネクタに入力される制御信号に応じて、出力コネクタ２４２から出力する直流電力を増減し、ＬＥＤモジュール２０の光出力を調整（調光）するように構成されている。
【００２９】
プリント配線板２４１は、長尺の矩形平板状の絶縁基板の部品面に配線導体（銅はく）が形成されている。プリント配線板２４１の表面に、入力コネクタ、出力コネクタ２４２、制御用コネクタ、平滑コンデンサ、チョークコイルなどの、いわゆるリード部品が実装される。そして、プリント配線板２４１のはんだ面に電源回路を構成している電子部品のうちの表面実装部品が実装される。ただし、入力コネクタ及び制御用コネクタは、プリント配線板２４１の長手方向の一端に実装され、出力コネクタ２４２は、プリント配線板２４１の長手方向の他端に実装されている。ケース２４０は、図９及び図１０に示すように、金属製の板材によって長尺の箱状に形成されている。ケース２４０は、入力コネクタ及び出力コネクタ２４２を露出するようにしてプリント配線板２４１を内部に収容している。電源ユニット２４は、取付板２２０の上面における前端に、ケース２４０の長手方向を左右方向に一致させるようにして取付板２２０にねじ止めされている。
【００３０】
機能ユニット２５は、プリント回路と、プリント回路を収納するハウジング２５０とを有する（図９参照）。プリント回路は、入力端子台２５１を有する。入力端子台２５１は、第２端子台１５から引き出された信号線１５０と電気的に接続される。プリント回路は、例えば、信号線１５０を介して入力端子台２５１に入力される制御信号を、電源ユニット２４に対応した制御信号に変換するように構成される。ただし、機能ユニットは、電波を媒体とする制御信号（無線信号）を電気信号に変換するように構成されてもよい。なお、機能ユニット２５は、ユニットカバー２３に取り付けられる（図９及び図１０参照）。
【００３１】
透光カバー２１は、図１、図８及び図１０に示すように、正方形状の底部２１０と、底部２１０の周縁から上向きに立ち上がる周壁部２１１と、周壁部２１１の上端に設けられた４つの爪部２１２とを有している。底部２１０と周壁部２１１と４つの爪部２１２は、アクリル樹脂やポリカーボネート樹脂などの透光性を有する合成樹脂材料によって一体に形成されることが好ましい。また、少なくとも底部２１０及び周壁部２１１は、その表面にシボ加工が施されることによって光を拡散するように構成されることが好ましい。あるいは、少なくとも底部２１０及び周壁部２１１は、合成樹脂材料に拡散剤が混入されることによって光を拡散するように構成されることが好ましい。各爪部２１２は鈎形に形成されて周壁部２１１の上端における長手方向（前後方向又は左右方向）の中央から上向きに突出している。
【００３２】
透光カバー２１は、取付部材２２の側板２２１の内側に周壁部２１１を収めるようにして取付部材２２に取り付けられる（図１０参照）。ここで、取付部材２２の取付板２２０において、透光カバー２１の４つの爪部２１２と対応する位置、すなわち、取付板２２０の４つの辺における長手方向の中央に貫通孔が１つずつ設けられている。各爪部２１２は、取付板２２０の下から上に向かって対応する貫通孔に挿通され、取付板２２０の上面における貫通孔の縁に引っ掛かる（図９及び図１０参照）。その結果、透光カバー２１は、側板２２１の内側に周壁部２１１を収めるようにして取付部材２２の取付板２２０に取り付けられる。
【００３３】
取付ばね２６は、コイル部２６０と、２本の腕部と、端末部２６３とを有するねじりコイルばねで構成されている。２本の腕部のうちで長い方の腕部を第１腕部２６１と呼び、短い方の腕部を第２腕部と呼ぶ。第１腕部２６１は、引掛片２６４と、第１腕片２６５と、第２腕片２６６とを有している。第１腕片２６５は、コイル部２６０の端末からコイル部２６０の径方向に突出している。ただし、第１腕片２６５の長手方向における複数箇所（例えば、２箇所）が同じ向き（下向き）に曲げられている（図１０参照）。引掛片２６４は、前後方向から見てＵ字状に形成され、長手方向の一端で第１腕片２６５の先端とつながり、長手方向の他端で第２腕片２６６の先端とつながっている（図９参照）。第２腕片２６６の後端は、端末部２６３とつながっている。ただし、第２腕片２６６の長手方向における複数箇所（例えば、２箇所）が同じ向き（下向き）に曲げられている。端末部２６３は、第２腕片２６６の後端から引掛片２６４とほぼ平行に突出している。
【００３４】
ユニットカバー２３は、図９に示すように、平坦部２３０と、湾曲部２３１と、３つの第１取付部２３２と、第２取付部２３５とを有している。なお、平坦部２３０と、湾曲部２３１と、３つの第１取付部２３２と、第２取付部２３５とは、亜鉛鋼板などの金属板によって一体に構成されている。
【００３５】
平坦部２３０は、平板状に形成されている。平坦部２３０の後端（図９における下端）に湾曲部２３１がつながっている。湾曲部２３１は、平坦部２３０の後端から上方へ突出するように湾曲している。ただし、湾曲部２３１の前半部分は平坦部２３０から離れるにつれて緩やかに湾曲し、湾曲部２３１の後半部分は湾曲部２３１の頂点から下方に向かって急激に湾曲している（図１０参照）。３つの第１取付部２３２は、平坦部２３０の前端（図９における上端）と、平坦部２３０の右端と、湾曲部２３１の後端とに１つずつ設けられている。また、湾曲部２３１は、矩形の通気孔２３１０を有している。
【００３６】
３つの第１取付部２３２はほぼ同一の構成を有している。第１取付部２３２は、第１支持部２３３と、第２支持部２３４（図１０参照）とを有している。第１支持部２３３は、幅細の板状に形成されている（図９参照）。第１支持部２３３は、取付ばね２６のコイル部２６０に挿通されてコイル部２６０の軸回りに回転可能にコイル部２６０を支持することが可能である（図９参照）。第２支持部２３４は平板状に形成され、平坦部２３０の端縁から下向きに突出している。第２支持部２３４は、厚み方向に貫通する孔２３４０を有している（図１０参照）。この孔２３４０は、取付ばね２６の端末部２６３が挿通可能な大きさに形成されている。第２支持部２３４は、孔２３４０に挿通される端末部２６３を支持することが可能である。
【００３７】
第２取付部２３５は、平坦部２３０の一部分が切り起こされて構成されている。第２取付部２３５は、機能ユニット２５のハウジング２５０に引っ掛けられることで機能ユニット２５を支持するように構成されている（図９及び図１０参照）。
【００３８】
ユニットカバー２３は、湾曲部２３１を挟んで前後方向に対向する２つの第１取付部２３２のそれぞれに取付ばね２６が取り付けられ、かつ、第２取付部２３５に機能ユニット２５が取り付けられた状態で取付部材２２の取付板２２０に固定される。ここで、取付板２２０の上面には複数のねじ止め部２２６が設けられている（図１０参照）。各ねじ止め部２２６は、取付板２２０の上面から上向きに突出した円錐台形状の突起と、突起の上面に設けられためねじとを有している。ユニットカバー２３は、複数のねじ止め部２２６の上に載せられた状態でユニットカバー２３に設けられた複数のねじ挿通孔に各別に挿通された複数の固定ねじ２２７がねじ止め部２２６のめねじにねじ込まれることによって取付部材２２に固定される（図９参照）。ただし、取付部材２２の取付板２２０とユニットカバー２３の平坦部２３０との間には、各ねじ止め部２２６の高さ寸法に等しい空間が形成される。この空間には、第１端子台１４と電源ユニット２４との間の電路となる電源線や機能ユニット２５と電源ユニット２４との間の電路となる信号線などが収容される。つまり、ユニットカバー２３は、これらの電源線や信号線を上から覆うことにより、吊りボルトなどから電源線や信号線を保護する機能を有している。なお、湾曲部２３１は電源ユニット２４を上から覆っているが、通気孔２３１０を通して電源ユニット２４の発する熱を湾曲部２３１の外（上）に逃がすことができる。
【００３９】
ところで、本実施形態の照明器具１において、器具本体１０と組み合わされる光源ユニット２は上述した光源ユニット２に限定されない。例えば、以下に説明する光源ユニット２Ｘも器具本体１０と組み合わせることができる。なお、光源ユニット２Ｘの基本構成は光源ユニット２と共通である。したがって、以下の光源ユニット２Ｘの説明において、上述した光源ユニット２と共通の構成要素については同一の符号を付して適宜図示並びに説明を省略する。
【００４０】
光源ユニット２Ｘは、図１１〜図１３に示すように、一部分を取付部材２２の左端縁から取付部材２２の外に突出させた引掛部材２７を有している。引掛部材２７は平板部２７０と幅広部２７１とを有している。ただし、平板部２７０と幅広部２７１とは亜鉛鋼板などの金属板によって一体に形成されている。
【００４１】
平板部２７０は概ね矩形に形成されている。幅広部２７１は、平板部２７０の４つの辺のうちの１つの辺（図１１における左辺）から下向きに突出している。幅広部２７１の長手方向の長さ寸法は、幅広部２７１の長手方向に沿った平板部２７０の長手方向の長さ寸法よりも大きい。つまり、幅広部２７１は、その長手方向の両端に、平板部２７０の長手方向の両端の外に突出する突部２７２を有している。
【００４２】
引掛部材２７は、平板部２７０の短手方向（図１１における左右方向）におけるおおよそ半分の部分が取付部材２２の取付板２２０の上面に取り付けられる。なお、平板部２７０は、取付板２２０とユニットカバー２３の平坦部２３０との間に挟まれるようにして取付板２２０に固定される（図１２参照）。さらに、平板部２７０の短手方向における残り半分の部分には電源ユニット２４が取り付けられる。つまり、電源ユニット２４は、平板部２７０の上面に取り付けられることにより、点灯中のＬＥＤモジュール２０から放射される熱の影響を受け難くされている。
【００４３】
また、光源ユニット２Ｘにおいて、ユニットカバー２３の３つの第１取付部２３２のうちの右端（図１２においては左端）の第１取付部２３２にのみ取付ばね２６が取り付けられている（図１２参照）。
【００４４】
次に、照明器具１を天井に施工する作業について説明する。まず、施工作業を行う作業者は、本体部１１の電源孔１１０に電源ケーブル１６および信号ケーブルを挿通した後、ボルト挿通孔１１１に挿通した吊りボルトにナットを締め付けることで本体部１１を天井に取り付ける。また、作業者は、電源孔１１０から引き込んだ電源ケーブル１６を第１端子台１４に結線するとともに電源孔１１０から引き込んだ信号ケーブルを第２端子台１５に結線する。
【００４５】
続いて作業者は、本体部１１に本体カバー１２を取り付ける。作業者は、本体部１１の４つの引掛ばね１３のうちの１つの引掛ばね１３の第１腕部１３１を下に引張り、４つの第１引掛部１２８のうちの対応する１つの第１引掛部１２８の引掛片１２８０に第１腕部１３１の先端を引っ掛ける。作業者は、残り３つの引掛ばね１３の第１腕部１３１の先端をそれぞれの引掛ばね１３と対応する第１引掛部１２８の引掛片１２８０に１つずつ順番に引っ掛ける。それから、作業者は、４つの引掛ばね１３の第１腕部１３１の先端を４つの第１引掛部１２８の引掛片１２８０に引っ掛けた状態で本体カバー１２を本体部１１に近付けるように上に持ち上げる。各引掛ばね１３の第１腕部１３１は、各引掛片１２８０に引っ掛かったままで上向きに変位（回転）する。そして、本体部１１の下端縁が本体カバー１２の第１部分１２１の上面に当たると、４つの第１引掛部１２８に引っ掛けられた４つの引掛ばね１３のばね力によって本体部１１と本体カバー１２との結合状態が維持される（図３Ａ参照）。
【００４６】
上述のような手順で器具本体１０が天井に取り付けられる。続いて、器具本体１０に光源ユニット２；２Ｘを取り付ける手順を説明する。初めに、光源ユニット２を器具本体１０に取り付ける手順を説明する。
【００４７】
作業者は、第１の突壁１２３に設けられた第２引掛部１２７Ａの貫通孔に前方の取付ばね２６の引掛片２６４を挿入し、第２引掛部１２７Ａの仮保持片１２７０に引掛片２６４を引っ掛けることで光源ユニット２を器具本体１０に仮保持させる。作業者は、光源ユニット２を器具本体１０に仮保持させた状態で第１端子台１４の電源線１４０及び第２端子台１５の信号線１５０と電源ユニット２４の結線作業を行う。結線作業の完了後、作業者は、第３の突壁１２５に設けられた第２引掛部１２７Ｂの貫通孔に後方の取付ばね２６の第１腕部２６１を挿入した後、光源ユニット２を持ち上げて本体カバー１２の開口部１２０内に収める。光源ユニット２が開口部１２０内に収められると、各取付ばね２６の第１腕部２６１が第１及び第３の突壁１２３、１２５の各第２引掛部１２７Ａ、１２７Ｂに引っ掛かる（図１４参照）。その結果、光源ユニット２は、２つの取付ばね２６のばね力によって器具本体１０（本体カバー１２）に支持される。以上のような手順で照明器具１の施工作業が完了する（図１５参照）。
【００４８】
次に、光源ユニット２Ｘを器具本体１０に取り付ける手順を説明する。
【００４９】
作業者は、開口部１２０から第４の突壁１２６と本体部１１の底面との間の隙間に引掛部材２７の幅広部２７１を挿入した後、第４の突壁１２６の両側の端部１２６０に幅広部２７１の両側の突部２７２を引っ掛ける。その結果、図１６に示すように、光源ユニット２Ｘが器具本体１０に仮吊りされる。作業者は、光源ユニット２を器具本体１０に仮吊りさせた状態で第１端子台１４の電源線１４０及び第２端子台１５の信号線１５０と電源ユニット２４の結線作業を行う。結線作業の完了後、作業者は、第２の突壁１２４に設けられた第２引掛部１２７Ｃの貫通孔に取付ばね２６の第１腕部２６１を挿入した後、光源ユニット２を持ち上げて本体カバー１２の開口部１２０内に収める。光源ユニット２が開口部１２０内に収められると、取付ばね２６の第１腕部２６１が第２の突壁１２４の第２引掛部１２７Ｃに引っ掛かる。また、引掛部材２７が開口部１２０から離れる向きに移動し、第４の突壁１２６に設けられた第３引掛部１２９に引掛部材２７が引っ掛けられる（図１７参照）。その結果、光源ユニット２Ｘは、１つの取付ばね２６と引掛部材２７とによって器具本体１０（本体カバー１２）に支持される。以上のような手順で照明器具１の施工作業が完了する。
【００５０】
ここで、本体部１１と本体カバー１２を結合した器具本体１０に比べて、本体部１１及び本体カバー１２の方が軽量である。そのため、上述のように、本体部１１と本体カバー１２が別々に施工可能であれば、施工の手順は増えるものの作業者の作業負担の軽減を図ることができる。さらに、天井に取り付けられた器具本体１０に対して光源ユニット２；２Ｘが取り付けられる。その結果、照明器具１は、特許文献１記載の従来例などと比較して、施工作業の作業性の向上を図ることが可能である。
【００５１】
また、照明器具１では、１種類の器具本体１０に対して、複数種類の光源ユニット２；２Ｘを着脱可能に取り付ける（組み合わせる）ことが可能である。そのため、器具本体１０の品種を削減して製造コスト及び在庫管理のコストの削減を図ることができる。
【００５２】
さらに、光源ユニット２；２Ｘが本体カバー１２に取り付けられるので、光源ユニット２；２Ｘが本体部１１に取り付けられる場合と比較して、本体カバー１２と光源ユニット２；２Ｘとの位置関係のばらつきの抑制を図ることができる。その結果、照明器具１は、本体カバー１２と光源ユニット２；２Ｘとの位置関係のばらつきに起因した外観品質低下の抑制を図ることができる。
【００５３】
以上述べた実施形態から明らかなように、本発明の第１の態様に係る照明器具（１）は、光源ユニット（２；２Ｘ）と、光源ユニット（２；２Ｘ）を支持する器具本体（１０）とを有している。光源ユニット（２；２Ｘ）は、光源（ＬＥＤモジュール２０）と、ＬＥＤモジュール２０が取り付けられる取付部材（２２）と、取付ばね（２６）とを備える。器具本体（１０）は、造営材に取り付けられる本体部（１１）と、本体部（１１）に着脱可能に結合されて本体部（１１）を覆う本体カバー（１２）とを有している。本体部（１１）は、引掛ばね（１３）を有している。本体カバー（１２）は、引掛ばね（１３）が着脱可能に引っ掛けられる第１引掛部（１２８）と、取付ばね（２６）が着脱可能に引っ掛けられる第２引掛部（１２７Ａ；１２７Ｂ；１２７Ｃ）とを有している。
【００５４】
第１の態様に係る照明器具（１）では、光源ユニット（２；２Ｘ）が着脱可能に取り付けられる器具本体（１０）が造営材に取り付けられる本体部（１１）と、本体部（１１）に着脱可能に結合される本体カバー（１２）とに分けられている。そのため、第１の態様に係る照明器具（１）は、本体部（１１）及び本体カバー（１２）を器具本体（１０）よりも軽量化することができる。その結果、第１の態様に係る照明器具（１）は、施工作業の作業性の向上を図ることが可能である。
【００５５】
本発明の第２の態様に係る照明器具（１）では、第１の態様において、本体カバー（１２）は、光源ユニット（２；２Ｘ）の発光面（透光カバー２１の表面）を露出させて光源ユニット（２；２Ｘ）を収める開口部（１２０）を有することが好ましい。さらに、本体カバー（１２）は、開口部（１２０）の縁から本体部（１１）に向かって突出する突壁（第１〜第３の突壁１２３〜１２５）を有することが好ましい。第１引掛部（１２８）及び第２引掛部（１２７Ａ；１２７Ｂ；１２７Ｃ）は突壁（第１〜第３の突壁１２３〜１２５）に設けられていることが好ましい。
【００５６】
第２の態様に係る照明器具（１）では、第１引掛部（１２８）及び第２引掛部（１２７Ａ；１２７Ｂ；１２７Ｃ）が突壁（第１〜第３の突壁１２３〜１２５）に集中して設けられている。そのため、突壁（第１〜第３の突壁１２３〜１２５）の機械的強度を高めることにより、本体部（１１）と本体カバー（１２）の結合強度の向上及び本体カバー（１２）に対する光源ユニット（２；２Ｘ）の取付強度の向上を一度に図ることができる。
【００５７】
本発明の第３の態様に係る照明器具（１）では、第２の態様において、取付ばね（２６）は、コイル部（２６０）と腕部（第１腕部２６１）とを有するねじりコイルばねからなることが好ましい。第１腕部（２６１）がＵ字形状に形成されることが好ましい。取付ばね（２６）は、取付部材（２２）から第１腕部（２６１）を突出させた状態でコイル部（２６０）及び第１腕部（２６１）の端部を取付部材（２２）に支持させるように構成されることが好ましい。第２引掛部（１２７Ａ；１２７Ｂ；１２７Ｃ）は、突壁（第１〜第３の突壁１２３〜１２５）をその厚み方向に貫通する孔を有することが好ましい。さらに、第２引掛部（１２７Ａ；１２７Ｂ；１２７Ｃ）は、突壁（第１〜第３の突壁１２３〜１２５）における孔の縁に取付ばね（２６）の第１腕部（２６１）が引っ掛けられるように構成されることが好ましい。光源ユニット（２；２Ｘ）は、第１腕部（２６１）が第２引掛部（１２７Ａ；１２７Ｂ；１２７Ｃ）に引っ掛けられた状態で取付ばね（２６）のばね力によって本体カバー（１２）に支持されていることが好ましい。
【００５８】
第３の態様に係る照明器具（１）では、第２引掛部（１２７Ａ；１２７Ｂ；１２７Ｃ）の孔の縁に取付ばね（２６）の第１腕部（２６１）を引っ掛けるという簡単な作業で本体カバー（１２）に光源ユニット（２；２Ｘ）を取り付けることができる。そのため、第３の態様に係る照明器具（１）では、施工作業の作業性の更なる向上を図ることができる。
【００５９】
本発明の第４の態様に係る照明器具（１）では、第３の態様において、光源ユニット（２；２Ｘ）及び開口部（１２０）のそれぞれの正面から見た形状が正方形であることが好ましい。突壁は、開口部（１２０）の４つの縁からそれぞれ本体部（１１）に向かって突出する第１〜第４の突壁（１２３〜１２６）を含むことが好ましい。開口部（１２０）を挟んで対向する第１の突壁（１２３）と第３の突壁（１２５）のそれぞれに第１引掛部（１２８）及び第２引掛部（１２７Ａ；１２７Ｂ）が設けられていることが好ましい。
【００６０】
第４の態様に係る照明器具（１）では、光源ユニット（２；２Ｘ）及び開口部（１２０）のそれぞれの正面から見た形状が正方形であるから、光源ユニット（２；２Ｘ）を１８０度回転させた状態で器具本体（１０）に取り付けることができる。そのため、第４の態様に係る照明器具（１）では、器具本体（１０）に対する光源ユニット（２；２Ｘ）の取付方向の自由度を高めて施工作業の作業性の更なる向上を図ることができる。
【００６１】
本発明の第５の態様に係る照明器具（１）では、第４の態様において、第１引掛部（１２８）は、第１の突壁（１２３）及び第３の突壁（１２５）のそれぞれに複数設けられることが好ましい。第２引掛部（１２７Ａ；１２７Ｂ）は、第１の突壁（１２３）及び第３の突壁（１２５）において複数の第１引掛部（１２８）の間に設けられていることが好ましい。
【００６２】
第５の態様に係る照明器具（１）では、第１引掛部（１２８）が第１の突壁（１２３）及び第３の突壁（１２５）のそれぞれに複数設けられることにより、本体部（１１）と本体カバー（１２）との結合強度の更なる向上を図ることができる。また、第２引掛部（１２７Ａ；１２７Ｂ）が第１の突壁（１２３）及び第３の突壁（１２５）において複数の第１引掛部（１２８）の間に設けられるので、本体部（１１）と本体カバー（１２）及び本体カバー（１２）と光源ユニット（２）のそれぞれの取付状態の安定性の向上を図ることができる。
【００６３】
本発明の第６の態様に係る照明器具（１）では、第３の態様において、光源ユニット（２Ｘ）は、取付部材（２２）の第１端縁から第１腕部（２６１）を突出させた取付ばね（２６）を有することが好ましい。また、光源ユニット（２Ｘ）は、取付部材（２２）の第１端縁と対向する第２端縁から取付部材（２２）の外に突出する引掛部材（２７）を有することが好ましい。光源ユニット（２Ｘ）及び開口部（１２０）のそれぞれの正面から見た形状が正方形であることが好ましい。突壁は、開口部（１２０）の４つの縁からそれぞれ本体部（１１）に向かって突出する第１〜第４の突壁（１２３〜１２６）を含むことが好ましい。開口部（１２０）を挟んで対向する第１の突壁（１２３）及び第３の突壁（１２５）のそれぞれに第１引掛部（１２８）が設けられることが好ましい。第２の突壁（１２４）に第２引掛部（１２７Ｃ）が設けられることが好ましい。開口部（１２０）を挟んで第２の突壁（１２４）と対向する第４の突壁（１２６）に、引掛部材（２７）が着脱可能に引っ掛けられる第３引掛部（１２９）が設けられていることが好ましい。
【００６４】
第６の態様に係る照明器具（１）では、第１引掛部（１２８）と引掛部材（２７）とによって光源ユニット（２Ｘ）を本体カバー（１２）に着脱可能に取り付けることができる。
【００６５】
本発明の第７の態様に係る照明器具（１）では、第１〜第６の態様のいずれか１つにおいて、引掛ばね（１３）は、コイル部（１３０）と腕部（第１腕部１３１）とを有するねじりコイルばねからなることが好ましい。さらに、引掛ばね（１３）は、本体部（１１）に複数設けられることが好ましい。複数の引掛ばね（１３）は、各々の第１腕部（１３１）同士を互いに遠ざけるように本体部（１１）に設けられていることが好ましい。第１引掛部（１２８）は、第１腕部（１３１）が移動可能に引っ掛けられるように構成されていることが好ましい。
【００６６】
第７の態様に係る照明器具（１）では、複数の引掛ばね（１３）が各々の第１腕部（１３１）同士を互いに遠ざけるように本体部（１１）に設けられているので、複数の引掛ばね（１３）の間隔を狭めることができる。
【００６７】
本発明の第８の態様に係る照明器具（１）では、第１〜第７の態様のいずれか１つにおいて、引掛ばね（１３）は、コイル部（１３０）と腕部（第１腕部１３１）とを有するねじりコイルばねからなることが好ましい。さらに、引掛ばね（１３）は、第１引掛部（１２８）の取付部材（２２）と対向する部分（引掛片１２８０）に第１腕部（１３１）が引っ掛けられるように構成されていることが好ましい。
【００６８】
第８の態様に係る照明器具（１）では、引掛ばね（１３）が、第１引掛部（１２８）の取付部材（２２）と対向する引掛片（１２８０）に第１腕部（１３１）が引っ掛けられるように構成されるので、第１腕部（１３１）を第１引掛部（１２８）と取付部材（２２）との間に収めることができる。
【符号の説明】
【００６９】
１  照明器具
２；２Ｘ  光源ユニット
１０  器具本体
１１  本体部
１２  本体カバー
１３  引掛ばね
２０  ＬＥＤモジュール（光源）
２１  透光カバー
２２  取付部材
２６  取付ばね
２７  引掛部材
１２０  開口部
１２３  第１の突壁
１２４  第２の突壁
１２５  第３の突壁
１２６  第４の突壁
１２７Ａ；１２７Ｂ；１２７Ｃ  第２引掛部
１２８  第１引掛部
１２９  第３引掛部
１３０  コイル部
１３１  第１腕部
２６０  コイル部
２６１  第１腕部
１２８０  引掛片
【図１】
2018206683.tif 000003
【図２】
2018206683.tif 000004
【図３】
2018206683.tif 000005
【図４】
2018206683.tif 000006
【図５】
2018206683.tif 000007
【図６】
2018206683.tif 000008
【図７】
2018206683.tif 000009
【図８】
2018206683.tif 000010
【図９】
2018206683.tif 000011
【図１０】
2018206683.tif 000012
【図１１】
2018206683.tif 000013
【図１２】
2018206683.tif 000014
【図１３】
2018206683.tif 000015
【図１４】
2018206683.tif 000016
【図１５】
2018206683.tif 000017
【図１６】
2018206683.tif 000018
【図１７】
2018206683.tif 000019